(57)【要約】  【課題】  Ｗｅｂサイト上のコンテンツによってセキュリティレベルが異なり、かつ、ユーザによってアクセスを許可するセキュリティレベルが異なる場合に、ユーザを層別してアクセス権限を区別することができるコンテンツ配信システム、コンテンツ配信方法及びそのプログラムを提供する。  【解決手段】  セキュリティレベル判定部１０２が管理者端末４００からのデータのセキュリティレベルを判定し、判定したセキュリティレベルにより、管理者端末４００からのデータを振り分けてサーバ１０３，１０５，１０７に保管する。コンテンツ提供時に、アクセス権限判定部１１０は、ユーザがログインしたとき入力したユーザＩＤに基づいて、ユーザ情報データベース１０９からユーザのアクセス権限レベル情報を取得し、このユーザのアクセス権限レベル情報に基づいて、ユーザに提供するコンテンツデータを決定する。【選択図】  図１
2006099405.tif 000002
【特許請求の範囲】
【請求項１】
ユーザの情報を格納するユーザ情報データベースと、
コンテンツのセキュリティレベルにより保管するコンテンツが異なる複数のサーバと、
前記複数のサーバに保管されたコンテンツへのアクセスを制御する少なくとも１つのゲートウェイと、
コンテンツのセキュリティレベルを判定することにより、データを保管するサーバを決定するセキュリティレベル判定手段と、
前記ユーザ情報データベースに格納しているユーザ情報に基づいて、ユーザを層別にして区別して、ユーザのアクセス権限レベルを判定するユーザアクセス権限判定手段と、
を備えることを特徴とするコンテンツ配信システム。
【請求項２】
前記アクセス権限レベルは、前記ユーザ情報データベースに含まれるユーザとコンテンツ提供者との取り引き関係に関する情報に基づき判定することを特徴とする請求項１に記載のコンテンツ配信システム。
【請求項３】
前記アクセス権限レベルは、前記コンテンツの元となる製品の販売または発表の時期、及び／又は各ユーザに対する重要度に基づき判定することを特徴とする請求項１又は２に記載のコンテンツ配信システム。
【請求項４】
前記コンテンツのセキュリティレベルは、コンテンツのセキュリティレベル、コンテンツのデータサイズ、コンテンツデータのダウンロードの可否、コンテンツデータの加工の可否のうち少なくとも１つに基づき決定することを特徴とする請求項１〜３のいずれか１項に記載のコンテンツ配信システム。
【請求項５】
前記コンテンツは、製品の仕様情報、画像情報、動画情報、取り扱い説明情報、サービス情報、保守・メンテナンス情報のうちいずれか１つが少なくとも含まれていることを特徴とする請求項１〜４のいずれか１項に記載のコンテンツ配信システム。
【請求項６】
前記コンテンツは、製品の広告・宣伝用の情報であることを特徴とする請求項１〜５のいずれか１項に記載のコンテンツ配信システム。
【請求項７】
ユーザの情報を格納するユーザ情報データベースと、
コンテンツのセキュリティレベルにより保管するコンテンツが異なる複数のサーバと、
前記複数のサーバに保管されたコンテンツへのアクセスを制御する少なくとも１つのゲートウェイと、
を備えるコンテンツ配信システムのコンテンツ配信方法であって、
コンテンツのセキュリティレベルを判定することにより、データを保管するサーバを決定するステップと、
前記ユーザ情報データベースに格納しているユーザ情報に基づいて、ユーザを層別にして区別して、ユーザのアクセス権限レベルを判定するステップと、
前記ユーザのアクセス権限レベルにより前記ゲートウェイを制御して、前記アクセス権限レベルに応じたコンテンツを配信するステップと、
を含むことを特徴とするコンテンツ配信方法。
【請求項８】
ユーザの情報を格納するユーザ情報データベースと、
コンテンツのセキュリティレベルにより保管するコンテンツが異なる複数のサーバと、
前記複数のサーバに保管されたコンテンツへのアクセスを制御する少なくとも１つのゲートウェイと、
を備えるコンテンツ配信システムのコンテンツ配信プログラムであって、
コンピュータに、
コンテンツのセキュリティレベルを判定することにより、データを保管するサーバを決定する機能と、
前記ユーザ情報データベースに格納しているユーザ情報に基づいて、ユーザを層別にして区別して、ユーザのアクセス権限レベルを判定する機能と、
前記ユーザのアクセス権限レベルにより前記ゲートウェイを制御して、前記アクセス権限レベルに応じたコンテンツを配信する機能と、
を実現させることを特徴とするコンテンツ配信プログラム。
【発明の詳細な説明】
【技術分野】
【０００１】
本発明は、コンテンツ配信システム、コンテンツ配信方法及びそのプログラムに関し、特に、Ｗｅｂサイト上のコンテンツによってセキュリティレベルが異なり、かつ、ユーザによってアクセスを許可するセキュリティレベルが異なるコンテンツ配信システム、コンテンツ配信方法及びそのプログラムに関する。
【背景技術】
【０００２】
Ｗｅｂサイト上のデータに対し、許可がなければ閲覧またはダウンロードできない技術として、Ｗｅｂサイト上のデータに暗号化を施す技術（例えば、特許文献１）がある。
【特許文献１】特開２００４−２２０２６３
【発明の開示】
【発明が解決しようとする課題】
【０００３】
世界中に販売網を有するメーカーにおいて、そのメーカーの製品を広告宣伝する広告代理店や販売する販売代理店、その製品を用いた応用製品を販売するシステムメーカー等を会員登録したユーザとして、Ｗｅｂを利用してこのユーザに製品に関する情報を配信するシステムがある。
しかしながら、上記のようなＷｅｂを利用してユーザに製品に関する情報を配信するシステムでは、メーカーがユーザへ提供するコンテンツ情報は、製品や技術の情報量あるいは製品の販売または発表の時期によってセキュリティレベルが異なり、かつ、メーカーとユーザとの取り引き関係によって、当該ユーザに提供できるコンテンツが異なる。
このため、従来のＷｅｂサイト上のデータに暗号化を施す技術等により、前記システムへのセキュリティレベルに応じたアクセス制御をしようとすると、コンテンツやユーザ毎に異なるＩＤやパスワードが必要となる。これにより、セキュリティ管理やこれに伴うアクセス制御が複雑になり、Ｗｅｂサイトの管理が煩雑となる。
【０００４】
本発明は、上記事情に鑑みてなされたものであり、本発明の目的（課題）は、Ｗｅｂサイト上のコンテンツによってセキュリティレベルが異なり、かつ、ユーザによってアクセスを許可するセキュリティレベルが異なる場合に、コンテンツのセキュリティレベル別にアクセスを制限し、ユーザを層別してアクセス権限を区別することができるコンテンツ配信システム、コンテンツ配信方法及びそのプログラムを提供することにある。
【課題を解決するための手段】
【０００５】
上記課題を解決するために、本発明のコンテンツ配信システムは、ユーザの情報を格納するユーザ情報データベースと、コンテンツのセキュリティレベルにより保管するコンテンツが異なる複数のサーバと、前記複数のサーバに保管されたコンテンツへのアクセスを制御する少なくとも１つのゲートウェイと、コンテンツのセキュリティレベルを判定することにより、データを保管するサーバを決定するセキュリティレベル判定手段と、前記ユーザ情報データベースに格納しているユーザ情報に基づいて、ユーザを層別にして区別して、ユーザのアクセス権限レベルを判定するユーザアクセス権限判定手段と、を備えることを特徴とする。
また、前記アクセス権限レベルは、前記ユーザ情報データベースに含まれるユーザとコンテンツ提供者との取り引き関係に関する情報に基づき判定することを特徴とする。
また、前記アクセス権限レベルは、前記コンテンツの元となる製品の販売または発表の時期、及び／又は各ユーザに対する重要度に基づき判定する。
また、前記コンテンツのセキュリティレベルは、コンテンツのセキュリティレベル、コンテンツのデータサイズ、コンテンツデータのダウンロードの可否、コンテンツデータの加工の可否のうち少なくとも１つに基づき決定することを特徴とする。
また前記コンテンツは、製品の仕様情報、画像情報、動画情報、取り扱い説明情報、サービス情報、保守・メンテナンス情報のうちいずれか１つが少なくとも含まれていることを特徴とする。
また前記コンテンツは、製品の広告・宣伝用の情報であることを特徴とする。
【０００６】
本発明のコンテンツ配信方法は、ユーザの情報を格納するユーザ情報データベースと、コンテンツのセキュリティレベルにより保管するコンテンツが異なる複数のサーバと、前記複数のサーバに保管されたコンテンツへのアクセスを制御する少なくとも１つのゲートウェイと、を備えるコンテンツ配信システムのコンテンツ配信方法であって、コンテンツのセキュリティレベルを判定することにより、データを保管するサーバを決定するステップと、前記ユーザ情報データベースに格納しているユーザ情報に基づいて、ユーザを層別にして区別して、ユーザのアクセス権限レベルを判定するステップと、前記ユーザのアクセス権限レベルにより前記ゲートウェイを制御して、前記アクセス権限レベルに応じたコンテンツを配信するステップと、を含むことを特徴とする。
【０００７】
本発明のコンテンツ配信プログラムは、ユーザの情報を格納するユーザ情報データベースと、コンテンツのセキュリティレベルにより保管するコンテンツが異なる複数のサーバと、前記複数のサーバに保管されたコンテンツへのアクセスを制御する少なくとも１つのゲートウェイと、を備えるコンテンツ配信システムのコンテンツ配信プログラムであって、コンピュータに、コンテンツのセキュリティレベルを判定することにより、データを保管するサーバを決定する機能と、前記ユーザ情報データベースに格納しているユーザ情報に基づいて、ユーザを層別にして区別して、ユーザのアクセス権限レベルを判定する機能と、前記ユーザのアクセス権限レベルにより前記ゲートウェイを制御して、前記アクセス権限レベルに応じたコンテンツを配信する機能と、を実現させることを特徴とする。
【発明の効果】
【０００８】
本発明は、コンテンツデータのセキュリティレベルにより、データを保管する場所を決定し、ユーザのアクセス権限レベルにより、提供するコンテンツデータを決定するので、セキュリティレベルの高いコンテンツにアクセスできるか否かをユーザ情報に基づいて判定することができる。
よって、コンテンツによってセキュリティレベルが異なり、かつ、ユーザによってアクセスを許可するセキュリティレベルが異なる場合に、ユーザを層別してアクセス権限を区別することができる。
【発明を実施するための最良の形態】
【０００９】
以下、本発明の実施の形態について、図面を用いて説明する。
図１は、本発明の実施の形態に係るコンテンツ配信システム１００の構成を示すブロック図である。
図１に示すように、コンテンツ配信システム１００は、データ取得部１０１と、セキュリティレベル判定部１０２と、サーバ１０３，１０５，１０７と、ゲートウェイ１０４，１０６と、ユーザＩＤ取得部１０８と、ユーザ情報データベース１０９と、アクセス権限判定部１１０とを有する構成であり、インターネットやイントラネット等の通信網２００を介してユーザ端末３００及び管理者端末４００と情報の送受信を行う。
【００１０】
データ取得部１０１は、管理者がデータを保管するため、管理者端末４００を使って、通信網２００を介して送ってきたデータを取得する。
【００１１】
セキュリティレベル判定部１０２は、管理者端末４００からのデータのセキュリティレベルを判定することにより、データを保管するサーバを決定する。この判定の基準としては、例えば、製品や技術データの情報量、データの取り扱いレベル（閲覧のみが許可された、ダウンロードが許可された、データの加工が許可された）、サーバ管理者（コンテンツを提供する側）が決める個々のコンテンツに対するセキュリティ度のレベル等が挙げられる。
【００１２】
ここで、例えば、データの取り扱いレベルによってデータのセキュリティレベルを以下のように分ける。
（１）セキュリティレベル１（最も低いセキュリティレベル）
閲覧のみが許可されたデータ
（２）セキュリティレベル２（１と３の中間のセキュリティレベル）
ダウンロードが許可されたデータ
（３）セキュリティレベル３（最も高いセキュリティレベル）
加工が許可されたデータ
これらのセキュリティレベル１〜３のデータをそれぞれのサーバ１０３，１０５，１０７に保管することを決定する。
【００１３】
サーバ１０３，１０５，１０７は、コンテンツデータを保管するものである。ここで、サーバによって保管するデータのセキュリティレベルが異なる。
例えば、サーバ１０３は上記（１）セキュリティレベル１のデータを保管し、サーバ１０５は上記（２）のデータを保管し、サーバ１０７は上記（３）のデータを保管する。
【００１４】
ゲートウェイ１０４，１０６は、サーバ１０５あるいは１０７へのアクセスを許可するかどうかを制御する。ゲートウェイ１０４により許可されたユーザはサーバ１０５へアクセスすることができる。ゲートウェイ１０６により許可されたユーザはサーバ１０７へアクセスすることができる。
ここで、サーバ１０３の前段にゲートウェイがなく、サーバ１０５及び１０７の前段のみにゲートウェイ１０４及び１０６を設けることにより、ログインしたユーザ全員がサーバ１０３へアクセスすることができ、ゲートウェイ１０４により許可されたユーザはサーバ１０３及び１０５へアクセスすることができ、そのなかさらにゲートウェイ１０６により許可されたユーザは全てのサーバ、すなわちサーバ１０３，１０５，１０７へアクセスすることができる。
【００１５】
ユーザＩＤ取得部１０８は、通信網２００を介してユーザがログインするときに入力したユーザＩＤを取得するものである。
ユーザ情報データベース１０９は、ユーザ情報を格納するものであり、ユーザ登録時に登録したユーザ情報及び登録したユーザ情報によりユーザを層別にしてアクセス権限を区別するアクセス権限レベル情報を格納している。アクセス権限レベルは、管理者が管理者端末４００からユーザ情報データベース１０９へ予めユーザＩＤと共に登録される。アクセス権限レベルは、各ユーザに対する重要度に応じて設定される。例えば、取り引き金額が非常に大きい代理店にはアクセス権限レベルを高くし、小さい代理店は低くするなどと設定してユーザＩＤと共に登録する。或いはユーザに対する重要度や信頼度、活用度などにより設定する。
【００１６】
アクセス権限判定部１１０は、ユーザＩＤ取得部１０８で取得したユーザＩＤに基づいて、ユーザ情報データベース１０９からユーザのアクセス権限レベル情報を取得し、当該ユーザのアクセス権限を判定し、提供情報範囲を決定するものである。ここの判定で、例えば、ユーザのアクセス権限レベルはセキュリティレベル３のデータにアクセスできる場合、ゲートウェイ１０４及び１０６に制御信号を送出し、アクセスできることを通知し、提供情報範囲をサーバ１０３，１０５，１０７に保管しているコンテンツデータに決定する。
【００１７】
また、ユーザのアクセス権限レベルはセキュリティレベル２のデータにアクセスできるが、セキュリティレベル３のデータにアクセスできない場合、ゲートウェイ１０４のみに制御信号を送出し、アクセスできることを通知し、提供情報範囲をサーバ１０３及び１０５に保管しているコンテンツデータに決定する。ここで、ゲートウェイ１０６にアクセスできる通知を送出しなかったので、当該ユーザはサーバ１０７にアクセスすることができない。
【００１８】
次に、本発明の実施の形態に係るコンテンツ配信システム１００について、サーバ管理者がデータを保管するときの動作を図２に示すフローチャートに基づいて説明する。
【００１９】
まず、データ保管の動作を開始すると、データ取得部１０１が通信網２００を介して管理者端末４００からのデータを取得し、セキュリティレベル判定部１０２が取得したデータのセキュリティレベルはセキュリティレベル１であるかを判断し（ステップＳ２０１）、取得したデータのセキュリティレベルはセキュリティレベル１である場合（ＹＥＳ）、取得したデータをサーバ１０３に保管する（ステップＳ２０２）。
【００２０】
一方、ステップＳ２０１で取得したデータのセキュリティレベルはセキュリティレベル１でないと判定した場合、取得したデータのセキュリティレベルはセキュリティレベル２であるかを判断し（ステップＳ２０３）、取得したデータのセキュリティレベルはセキュリティレベル２である場合（ＹＥＳ）、取得したデータをサーバ１０５に保管する（ステップＳ２０４）。
【００２１】
一方、ステップＳ２０３で取得したデータのセキュリティレベルはセキュリティレベル２でないと判定した場合、データのセキュリティレベルはセキュリティレベル３であると見なして、取得したデータをサーバ１０７に保管する（ステップＳ２０５）。
そして、処理が終了する（ステップＳ２０６）。
【００２２】
以上のように、セキュリティレベル判定部１０２が管理者端末４００からのデータのセキュリティレベルを判定し、判定したセキュリティレベルにより、管理者端末４００からのデータを振り分けてサーバ１０３，１０５，１０７に保管する。これにより、セキュリティレベルが異なるデータを異なるサーバに保管することができる。
【００２３】
次に、本発明の実施の形態に係るコンテンツ配信システム１００について、コンテンツを提供するときの動作を図３に示すフローチャートに基づいて説明する。
【００２４】
まず、ユーザＩＤ取得部１０８が通信網２００を介してユーザがログインするときに入力したユーザＩＤを取得する（ステップＳ３０１）。
【００２５】
アクセス権限判定部１１０は、取得したユーザＩＤに基づいて、ユーザ情報データベース１０９からユーザのアクセス権限レベル情報を取得し（ステップＳ３０２）、当該ユーザはアクセス権限レベル３を持つユーザであるかを判定し（ステップＳ３０３）、ユーザはアクセス権限レベル３を持つユーザである場合（ＹＥＳ）、ゲートウェイ１０４及び１０６に制御信号を送出し、アクセスできることを通知する（ステップＳ３０４）。
【００２６】
当該ユーザには、ログインしたユーザ全員に提供するサーバ１０３に保管されているコンテンツデータのほか、サーバ１０５及１０７に保管されているコンテンツデータも提供する。ユーザがサーバ１０３，１０５，１０７へアクセスすることができる。
【００２７】
一方、ステップＳ３０３でユーザはアクセス権限レベル３を持つユーザでないと判定した場合、ユーザはアクセス権限レベル２を持つユーザであるかを判定し（ステップＳ３０５）、ユーザはアクセス権限レベル２を持つユーザである場合（ＹＥＳ）、ゲートウェイ１０４に制御信号を送出し、アクセスできることを通知する（ステップＳ３０６）。
【００２８】
当該ユーザには、ログインしたユーザ全員に提供するサーバ１０３に保管されているコンテンツデータのほか、サーバ１０５に保管されているコンテンツデータを提供するが、サーバ１０７に保管されているコンテンツデータを提供しない。ユーザがサーバ１０３及び１０５へアクセスすることができるが、サーバ１０７へアクセスすることができない。
【００２９】
一方、ステップＳ３０５でユーザはアクセス権限レベル２を持つユーザでないと判定した場合、当該ユーザはアクセス権限レベル１を持つユーザであるとみなして、サーバ１０３へのアクセスのみを許可する（ステップＳ３０７）。当該ユーザには、サーバ１０３に保管されているコンテンツデータのみを提供し、サーバ１０５及び１０７に保管されているコンテンツデータを提供しない。ユーザがサーバ１０３のみへアクセスすることができるが、サーバ１０５及び１０７へアクセスすることができない。そして、処理が終了する（ステップＳ３０８）。
【００３０】
このように、アクセス権限判定部１１０は、ユーザがログインしたときに入力したユーザＩＤに基づいて、ユーザ情報データベース１０９からユーザのアクセス権限レベル情報を取得し、このユーザのアクセス権限レベル情報に基づいて、ユーザに提供するコンテンツデータを決定する。これにより、ユーザの権限レベル応じたコンテンツデータを提供することができる。
【００３１】
次に、本実施の形態の具体例を挙げ、図４及び図５を参照して説明する。
ここでは、メーカーの製品を広告宣伝する広告代理店や応用製品を販売するシステムメーカー等を会員登録したユーザとして、Ｗｅｂを利用してこのユーザに製品に関する情報を配信するシステムを例に挙げ説明する。
【００３２】
図４に示す画面は、各製品のサムネイル画像による製品一覧を表示する画面であり、この画面に表示されたサムネイル画像は解像度が低くセキュリティ度のレベルは低いので、この画面のコンテンツデータはサーバ１０３に保管する。
図５に示す画面は、特定の製品のプレビュー画像及び仕様が表示されており、サムネイル画像よりも解像度が高く、また、製品仕様の情報が含まれているため、図４に示すサムネイル画像のみの画面よりもセキュリティ度のレベルが高いので、サーバ１０５に保管する。
また、ダウンロード可能なより詳細な画像データは、プレビュー画像よりもさらに解像度が高く、しかもデータをダウンロードして専用アプリケーション等で加工することができるため、さらにセキュリティ度のレベルが高いので、サーバ１０７に保管する。
【００３３】
Ｗｅｂサイトにログインしたユーザには、まず、サーバ１０３に保管されたコンテンツデータである製品の一覧を表示する画面（図４参照）が表示される。この画面では、各製品のサムネイル画像が表示されており、ログインしたユーザに対し、サーバ１０３に保管されたコンテンツデータを提供する。
ユーザは、このサムネイル画像による製品の一覧が表示された画面を見ることにより、各製品の大まかな外観をそれぞれ確認することができる。
【００３４】
アクセス権限レベル２以上を持つユーザは、図４に示す画面のサムネイル画像のうち、詳細な情報を取得したい製品のサムネイル画像の箇所をマウス等でクリックすることにより、図５に示す画面を表示することができる。
このように、ユーザは、マウス等でクリックして特定の製品を指定することにより、特定の製品のプレビュー画像及び仕様を画面に表示させて、指定した製品の詳細な外観及び製品仕様を把握することができる。
【００３５】
ところが、アクセス権限レベル２以上を持たないユーザ（アクセス権限１のみのユーザ）は、図４に示すサムネイル画像の箇所をマウス等でクリックしても、図５に示す画面を表示することができない。
すなわち、図４に示すサムネイル画像の箇所をマウス等でクリックすることにより、図５に示す画面のコンテンツデータを提供するか否かを、ユーザのアクセス権限レベルにより判定し、アクセス権限レベル２以上を持つユーザに対しては提供するが、アクセス権限レベル１のみを持つユーザに対しては提供しない。
【００３６】
さらに、アクセス権限レベル３を持つユーザは、図４に示す画面のサムネイル画像のうち、詳細な情報を取得したい製品の“Ｄｏｗｎｌｏａｄ”と書かれた箇所をマウス等でクリックする、あるいは、図５に示す画面のプレビュー画像の下の“Ｄｏｗｎｌｏａｄ”と書かれた箇所をマウス等でクリックすることにより、より詳細な画像のデータファイルをダウンロードすることができる。
このように、ユーザは、マウス等でクリックして指定した製品のデータをダウンロードすることにより、このデータを画像処理用アプリケーションで加工して、広告宣伝のためのカタログやポスター等に使用するなど、データを利用することができる。
なお、このようなダウンロード用の詳細な画像のデータは、データサイズが大きいので、適宜、圧縮したデータファイルとして提供される。
【００３７】
ところが、アクセス権限レベル３を持たないユーザ（アクセス権限２以下のみを持つユーザ）は、図４または図５の“Ｄｏｗｎｌｏａｄ”と書かれた箇所をマウス等でクリックしても、指定したデータファイルをダウンロードすることができない。
すなわち、図４または図５の“Ｄｏｗｎｌｏａｄ”と書かれた箇所をマウス等でクリックすることにより、より詳細な製品画像のコンテンツデータをダウンロードにより提供するか否かを、ユーザのアクセス権限レベルにより判定し、アクセス権限レベル３を持つユーザに対しては提供するが、アクセス権限レベル２以下のみを持つユーザに対しては提供しない。
【００３８】
なお、上記具体例において、各ユーザのアクセス権限レベルは、メーカーとユーザとの取り引き関係や各製品の販売（あるいは発表）の時期を考慮して設定し、予めユーザ情報データベースに記憶させておく。具体的には、管理者が管理者端末４００からユーザ情報データベース１０９へ予め登録する。
【００３９】
上述の実施の形態及び具体例では、コンテンツデータのセキュリティレベルを３つに分割して、サーバを３つ、ゲートウェイを２つ設けた例を説明したが、本発明はこれに限定されるものではなく、セキュリティレベルの数は２つ以上であればいくつであってもよく、設置するサーバ及びゲートウェイの数は、このセキュリティレベルの数に応じた数だけ設置することができる。
また上述の例では画像コンテンツについて説明をしたが、他のコンテンツとして、製品の仕様情報、画像情報、動画情報、取り扱い説明情報、サービス情報、保守・メンテナンス情報などでもよい。また、製品の広告・宣伝用の情報であってもよい。  
【００４０】
以上説明したように、本発明の実施の形態に係るコンテンツ配信システムは、コンテンツを保管するサーバを複数備えており、コンテンツデータのセキュリティレベルにより保管するサーバを決定し、ユーザのアクセス権限レベルにより、当該ユーザーがアクセスできるコンテンツデータを決定する。
ユーザのアクセス権限レベルは、予めユーザ情報データベースに記憶されたユーザ情報に基づいて判定する。よって、コンテンツによってセキュリティレベルが異なり、かつ、ユーザによってアクセスを許可するセキュリティレベルが異なる場合に、ユーザを層別してアクセス権限を区別することができる。
【産業上の利用可能性】
【００４１】
本発明は、Ｗｅｂサイト上のコンテンツによってセキュリティレベルが異なり、かつ、ユーザによってアクセスを許可するセキュリティレベルが異なるコンテンツ配信システム及びコンテンツ配信方法として有用である。
【図面の簡単な説明】
【００４２】
【図１】本発明の実施の形態に係るコンテンツ配信システムの構成を示すブロック図である。
【図２】本発明の実施の形態に係るコンテンツ配信システムのデータ保管時の動作を説明するフローチャートである。
【図３】本発明の実施の形態に係るコンテンツ配信システムのデータ配信時の動作を説明するフローチャートである。
【図４】本発明の実施の形態の具体例における、各製品のサムネイル画像による製品一覧を表示する画面の例である。
【図５】本発明の実施の形態の具体例における、特定の製品のプレビュー画像及び仕様を表示する画面の例である。
【符号の説明】
【００４３】
１００…コンテンツ配信システム、１０１…データ取得部、１０２…セキュリティレベル判定部、１０３，１０５，１０７…サーバ、１０４，１０６…ゲートウェイ、１０８…ユーザＩＤ取得部、１０９…ユーザ情報データベース、１１０…アクセス権限判定部、２００…通信網、３００…ユーザ端末、４００…管理者端末
【図１】
2006099405.tif 000003
【図２】
2006099405.tif 000004
【図３】
2006099405.tif 000005
【図４】
2006099405.tif 000006
【図５】
2006099405.tif 000007